(57)【要約】【課題】洗浄水の噴射により食器等の洗浄を行う食器洗い機において、食器洗い機本体の前方および上方の設置スペースを小さくし、かつ大きな食器を収納するのに食器洗い機の高さを大きくすることなく、設置性がよく、また、扉体の開閉を容易かつスムーズに行えるようにして使い勝手を向上した食器洗い機を提供する。【解決手段】上支持部材３０と下支持部材３４とを連絡部材３６で連結してリンクを構成するとともに、上扉体２８を常に閉塞する方向に付勢する第１のスプリング４６と、下扉体２９を閉成状態では開放方向に付勢し開成状態では閉塞方向に付勢する第２のスプリング４９とを備え、上扉体２８と下扉体２９を連結部材３６で連動して開放するとき、上扉体２８、下扉体２９がその双方の内面側を上向きにして、重ね合わせるよう構成した。【選択図】図１
2007196005.tif 000002
【特許請求の範囲】
【請求項１】
食器洗い機本体の前面開口部を覆う上扉体および下扉体と、前記上扉体および下扉体をそれぞれ支持する上支持部材および下支持部材と、前記上支持部材と下支持部材とを連結してリンクを構成する連絡部材と、前記上扉体を常に閉塞する方向に付勢する第１のスプリングと、前記下扉体を閉成状態では開放方向に付勢し開成状態では閉塞方向に付勢する第２のスプリングとを備えて前記上扉体と下扉体とを連動して開閉可能に構成し、前記上扉体および下扉体を開放するとき、前記両支持部材を軸支部を中心に回転させ、前記上扉体および下扉体がその双方の内面側を上向きにして、重ね合わせるよう構成した食器洗い機。
【請求項２】
第１のスプリングの上扉体閉塞方向への付勢力を連絡部材の長手方向とは略直角方向から作用させるよう構成した請求項１記載の食器洗い機。
【請求項３】
上扉体は開成状態で下扉体の上方に位置し、上扉体の内面上に食器洗い機本体内の食器かごを引き出し可能とした請求項１または２記載の食器洗い機。
【請求項４】
上扉体の内面に食器かごの案内部を設けた請求項３記載の食器洗い機。
【請求項５】
上支持部材における軸支部は、上扉体を開成したときの内面より上方に位置し、下支持部材における軸支部は前記上扉体の内面よりも下方に位置するよう構成した請求項１〜４のいずれか１項に記載の食器洗い機。
【請求項６】
上扉体と、下扉体と、第１のスプリングと、第２のスプリングとで、上扉体と下扉体を連動して自動的に閉成状態から開成状態まで開放する自動開放機構を構成した請求項１〜５のいずれか１項に記載の食器洗い機。
【請求項７】
自動開放機構は、上扉体および下扉体の閉成状態において、上扉体の自重と第２のスプリングの付勢力とによる開放方向へのモーメントが、下扉体の自重と第１のスプリングの付勢力とによる閉塞方向へのモーメントより大きくなるよう構成した請求項６記載の食器洗い機。
【請求項８】
下扉体を閉成状態に保持するロック手段を設け、前記ロック手段がロック解除されることで自動開放機構が動作するよう構成した請求項６または７記載の食器洗い機。
【請求項９】
下扉体にロック手段をロック解除する押しボタンスイッチを設けた請求項８記載の食器洗い機。
【請求項１０】
両支持部材と連絡部材の連結部の少なくともいずれか一方の嵌合部に、所定の遊び部を設けた請求項１〜９のいずれか１項に記載の食器洗い機。
【請求項１１】
扉体の閉成時に連結部の嵌合部に所定の遊びを設けた請求項１０記載の食器洗い機。
【請求項１２】
上支持部材と下支持部材をともに基盤部材に回転自在に軸支した請求項１〜１１のいずれか１項に記載の食器洗い機。
【発明の詳細な説明】
【技術分野】
【０００１】
本発明は、洗浄水の噴射により食器等の洗浄を行う食器洗い機に関する。
【背景技術】
【０００２】
従来この種の食器洗い機は、図４に示すように構成していた。以下、その構成について説明する。
【０００３】
図４に示すように、扉体１は、扉軸２を中心にして、食器洗い機本体３の下部に開閉自在に取り付け、食器洗い機本体３の前面開口部を覆うよう構成し、上部に扉体１を開閉する際につかむ取っ手部４と、スイッチ５により解除されるロック手段６とを設け、閉塞状態で固定できるよう構成している。食器洗い機本体３は、内部に洗浄槽７を設けており、この洗浄槽７は、内部に食器かご８を配置している。
【０００４】
食器洗い機の基本的な動作は、一般的によく知られているので、以下に簡単に述べる。使用者がスイッチ５によりロック手段６を解除し、その後、取っ手部４を持って扉体１を開放し、食器洗い機本体３内の洗浄槽７に設置した食器かご８に汚れた食器類をセットする。つぎに、扉体１を閉め、ロック手段６により扉体１をロックし、食器類の洗浄、乾燥を行う。
【０００５】
また、他の食器洗い機として、図５に示すように、食器洗い機本体９に設けた２個の扉体１０、１１を扉支持部材１２、１３を介して上下方向に各々回動して前面開口部１４を開閉するよう構成し、連動手段１５、１６およびそれらを連動する連結枢軸１７、１８、１９によって連結されている。このため、扉体１０を持って開閉すれば、同時に他方の扉体１１も開閉する構成となっている（例えば、特許文献１参照）。この食器洗い機も上述した基本動作を行う。
【０００６】
また、他の食器洗い機として、図６に示すようなものがある。このものは、食器洗い機本体２０に設けた前面開口部２１を下扉体２２、上扉体２３で開閉するよう構成し、下扉体２２は前面開口部２１の下部に開閉自在に取り付け、上扉体２３は前面開口部２１の中間に開閉自在に取り付けており、下扉体２２、上扉体２３を個々に開閉し、食器かご２４が２段構成となっている。この食器洗い機も上述した基本動作を行う。
【特許文献１】特開昭５０−２６３５６号公報（第６頁、図２）
【発明の開示】
【発明が解決しようとする課題】
【０００７】
しかしながら、このような従来の構成で、例えば図４に示すような扉体１が１枚の構成では、扉体１の開放時に食器洗い機本体３の前方に大きなスペースを必要とするという問題を有していた。
【０００８】
また、図５に示すような２枚の扉体１０、１１が上下方向に各々開放する構成では、扉体１０、１１の開放時に上扉体１１が食器洗い機本体９の上方に開放するため、食器洗い機本体９の上方にスペースを必要とするという問題を有していた。
【０００９】
また、図６に示すような上扉体２３が前面開口部２１の中間にある構成では、食器かご２４にセットできる食器の大きさが食器かご２４の下面から上扉体２１下部までに制限されてしまうため、大きな食器を収納するためには食器洗い機本体２０を高くしなければならず、食器洗い機の高さ方向の設置性が低下するという問題を有していた。
【００１０】
本発明は上記従来の課題を解決するものであり、食器洗い機本体の前方および上方の設置スペースを小さくし、かつ大きな食器を収納するのに食器洗い機の高さを大きくすることなく、設置性がよく、また、扉体の開閉を容易かつスムーズに行えるようにして使い勝手を向上した食器洗い機を提供することを目的としている。
【課題を解決するための手段】
【００１１】
本発明は上記目的を達成するために、食器洗い機本体の前面開口部を上扉体および下扉体で覆い、上扉体および下扉体をそれぞれ上支持部材および下支持部材でそれぞれ支持し、上支持部材と下支持部材とを連絡部材で連結してリンクを構成するとともに、上扉体を常に閉塞する方向に付勢する第１のスプリングと、下扉体を閉成状態では開放方向に付勢し開成状態では閉塞方向に付勢する第２のスプリングとを備え、上扉体と下扉体を連動して開放するとき、両支持部材を軸支部を中心に回転させ、上扉体、下扉体がその双方の内面側を上向きにして、重ね合わせるよう構成したものである。
【００１２】
これにより、食器洗い機本体の前方および上方の設置スペースを小さくでき、かつ大きな食器を収納するのに食器洗い機の高さを大きくすることのなく、設置性のよい食器洗い機を提供することができるとともに、下扉体を開閉することで上扉体も連動して開閉することができ、さらに、第１のスプリングの付勢力によって上扉体の自重による開放方向のモーメントを軽減することができるので、小さな操作力で扉体を閉塞することができ、また、第２のスプリングの付勢力によって下扉体と上扉体とを連動して開閉することことを容易にするとともに、両扉体が開成する際の衝撃力を緩和することができ、扉体閉塞時の操作感を向上することができ、使い勝手を向上することができる。
【発明の効果】
【００１３】
本発明の食器洗い機は、食器洗い機本体の前方および上方の設置スペースを小さくでき、かつ大きな食器を収納するのに食器洗い機の高さを大きくすることのなく、設置性のよい食器洗い機を実現することができる。また、小さな操作力で扉体を閉塞することができるとともに、下扉体と上扉体とを連動して開閉することことを容易にするとともに、両扉体が開成する際の衝撃力を緩和することができ、扉体閉塞時の操作感を向上することができ、使い勝手の良い食器洗い機を実現することができる。
【発明を実施するための最良の形態】
【００１４】
本発明の請求項１に記載の発明は、食器洗い機本体の前面開口部を覆う上扉体および下扉体と、前記上扉体および下扉体をそれぞれ支持する上支持部材および下支持部材と、前記上支持部材と下支持部材とを連結してリンクを構成する連絡部材と、前記上扉体を常に閉塞する方向に付勢する第１のスプリングと、前記下扉体を閉成状態では開放方向に付勢し開成状態では閉塞方向に付勢する第２のスプリングとを備えて前記上扉体と下扉体とを連動して開閉可能に構成し、前記上扉体および下扉体を開放するとき、前記両支持部材を軸支部を中心に回転させ、前記上扉体および下扉体がその双方の内面側を上向きにして、重ね合わせるよう構成したものであり、食器洗い機本体の前方および上方の設置スペースを小さくでき、かつ大きな食器を収納するのに食器洗い機の高さを大きくすることなく、設置性のよい食器洗い機を提供することができるとともに、下扉体を開閉することで上扉体も連動して開閉することができ、さらに、第１のスプリングの付勢力によって上扉体の自重による開放方向のモーメントを軽減することができるので、小さな操作力で扉体を閉塞することができ、また、第２のスプリングの付勢力によって下扉体と上扉体とを連動して開閉することことを容易にするとともに、両扉体が開成する際の衝撃力を緩和することができ、扉体閉塞時の操作感を向上することができ、使い勝手を向上することができる。
【００１５】
請求項２に記載の発明は、上記請求項１に記載の発明において、第１のスプリングの上扉体閉塞方向への付勢力を連絡部材の長手方向とは略直角方向から作用させるよう構成したものであり、第１のスプリングによる付勢力を効率よく扉体を閉塞するモーメントとして利用することができるので、より小さな操作力で扉体を閉塞することができる。
【００１６】
請求項３に記載の発明は、上記請求項１または２に記載の発明において、上扉体は開成状態で下扉体の上方に位置し、上扉体の内面上に食器洗い機本体内の食器かごを引き出し可能としたものであり、食器かごに食器をセットするとき、上扉体の内面上に食器かごを引き出すことで、食器のセットを容易にすることができる。
【００１７】
請求項４に記載の発明は、上記請求項３に記載の発明において、上扉体の内面に食器かごの案内部を設けたものであり、食器かごの出し入れをスムーズに行うことができ、また、食器かごの案内部を食器かごの滑走部との摺動部だけでなく、洗浄槽の全幅方向に設けることで、機外への汁だれ、水滴だれを防止することができる。
【００１８】
請求項５に記載の発明は、上記請求項１〜４に記載の発明において、上支持部材における軸支部は、上扉体を開成したときの内面より上方に位置し、下支持部材における軸支部は前記上扉体の内面よりも下方に位置するよう構成したものであり、上扉体の開成時の位置が洗浄槽の前面開口部に近接することが可能となり、食器洗い機本体の前方の設置スペースをより小さくすることができる。
【００１９】
請求項６に記載の発明は、上記請求項１〜５に記載の発明において、上扉体と、下扉体と、第１のスプリングと、第２のスプリングとで、上扉体と下扉体を連動して自動的に閉成状態から開成状態まで開放する自動開放機構を構成したものであり、両扉体を連動して自動的に開放することができ、使い勝手をさらに向上することができる。
【００２０】
請求項７に記載の発明は、上記請求項６に記載の発明において、自動開放機構は、上扉体および下扉体の閉成状態において、上扉体の自重と第２のスプリングの付勢力とによる開放方向へのモーメントが、下扉体の自重と第１のスプリングの付勢力とによる閉塞方向へのモーメントより大きくなるよう構成したものであり、閉成状態から自動開放を開始するようにすることができ、扉体開放の操作感を向上することができる。
【００２１】
請求項８に記載の発明は、上記請求項６または７に記載の発明において、下扉体を閉成状態に保持するロック手段を設け、前記ロック手段がロック解除されることで自動開放機構が動作するよう構成したものであり、ロック手段をロック解除すれば、上扉体と下扉体が連動して自動的に開放するようにできるので、さらに使い勝手を向上することができる。
【００２２】
請求項９に記載の発明は、上記請求項８に記載の発明において、下扉体にロック手段をロック解除する押しボタンスイッチを設けたもので、操作位置として最適な下扉体に設けた押しボタンスイッチを押すだけの簡単な操作で、ロック手段をロック解除することができ、上扉体と下扉体が連動して自動的に開放するようにできるので、さらに使い勝手を向上することができる。
【００２３】
請求項１０に記載の発明は、上記請求項１〜９に記載の発明において、両支持部材と連絡部材の連結部の少なくともいずれか一方の嵌合部に、所定の遊び部を設けたものであり、両支持部材、連絡部材の加工誤差、組立て誤差による上扉体と下扉体の連動不良をなくすことができる。
【００２４】
請求項１１に記載の発明は、上記請求項１０に記載の発明において、扉体の閉成時に連結部の嵌合部に所定の遊びを設けたものであり、リンク機構の遊びを扉体閉成時にのみ限定することができ、扉体の開成状態からの閉塞動作をスムーズに行うことができる。
【００２５】
請求項１２に記載の発明は、上記請求項１〜１１に記載の発明において、上支持部材と下支持部材をともに基盤部材に回転自在に軸支したもので、両支持部材間、および連絡部材との間の組立て誤差を少なくすることができ、上扉体と下扉体の連動不良をなくすことができる。
【００２６】
以下、本発明の実施の形態について、図面を参照しながら説明する。
【００２７】
（実施の形態１）
図１に示すように、食器洗い機本体２５は、内部に洗浄槽２６を設け、この洗浄槽２６の前面開口部２７を上扉体２８と下扉体２９により開閉するよう構成している。上扉体２８に上支持部材３０を固定し、この上支持部材３０を上固定枢軸（軸支部）３１で洗浄槽２６の外壁に取り付けた基盤部材３２に回転自在に軸支している。上固定枢軸３１は、上扉体２８が回動しその内面が上方に、かつ水平になるよう、前面開口部２７より後方で、かつ前面開口部２７の下辺と閉成状態の上扉体２８下端との間となる位置に配置している。
【００２８】
また、図２に示すように、上扉体２８の開成状態での内面高さを、食器かご３３の底面と略同一高さとし、上扉体２８の内面に食器かご３３を引き出せるようにしている。
【００２９】
また、下扉体２９に下支持部材（軸支部）３４を固定し、この下支持部材３４を下固定枢軸３５で基盤部材３２に回転自在に軸支している。下固定枢軸３５は、下扉体２９が開成状態でその内面を上向けにし、かつ上扉体２８の下部へ重なり合わさるよう、開成時の上扉体２８内面より下方で、かつ前面開口部２７の略同一面となる位置に配置している。
【００３０】
また、連絡部材３６を上連結枢軸３７により上支持部材３０に軸支し、下連結枢軸３８により下支持部材３４に軸支することにより、上支持部材３０と下支持部材３４を連動し、上扉体２８と下扉体２９を連動して開閉するよう構成している。
【００３１】
下扉体２９には押しボタンスイッチ３９と、下扉体２９を閉成状態に固定するロック手段４０を設け、押しボタンスイッチ３９と連動して、洗浄槽２６に設けた係止部４１からロック手段４０を解除できるようにしている。上扉体２８および下扉体２９と前面開口部２７のシール、および上扉体２８、下扉体２９間のシールには弾性体を有するシール部材（図示せず）を設置している。
【００３２】
上扉体２８の内面に食器かご３３を引きだすとき案内するかご案内部４２を設けている。なお、かご案内部４２はかご滑走部４３との摺動方向だけでなく、洗浄槽２６の全幅方向に設けている。
【００３３】
上支持部材３０に設けた第１の保持部４４と、基盤部材３２に設けた第２の保持部４５を第１のスプリング４６（引っ張りコイルばね）で連結し、上支持部材３０に上扉体２８が閉塞する方向に弾性的に付勢するよう構成している。
【００３４】
また、下支持部材３４に設けた第３の保持部４７と、基盤部材３２に設けた第４の保持部４８を第２のスプリング４９（引っ張りコイルばね）で連結し、扉体（上扉体２８と下扉体２９）の閉成状態では下支持部材３４を開放側に弾性的に付勢し、開成状態では閉塞方向に弾性的に付勢するよう構成している。
【００３５】
なお、閉成状態において、上扉体２８の自重による開放方向のモーメントと第２のスプリング４９により付勢された下支持部材３４の開放方向のモーメントの合成モーメントが、下扉体２９の自重による閉塞方向のモーメントと第１のスプリング４６により付勢された上支持部材３０の閉塞方向のモーメントの合成モーメントより大きくなるよう構成し、ロック手段４０を解除すれば、上扉体２８、下扉体２９が連動して自動的に開放するよう構成している。
【００３６】
上連結枢軸３７を保持する上支持部材３０に設けた枢軸保持部５０は、図３に示すように、上扉体２８が閉成状態での上連結枢軸３７の位置に対して上下方向に移動可能な略連絡部材３６方向に遊びを設けており、上支持部材３０、連絡部材３６、下支持部材３４で構成されるリンク機構のばらつきを吸収して扉体が確実に閉成するよう構成している。
【００３７】
上扉体２８と下扉体２９の開成位置を維持するために、基盤部材３２には、上支持部材３０の回転を規制するストッパー部５１を設けている。また、ストッパー部に板状のゴム部材、フェルト等の衝撃緩衝部材５２を設けている。
【００３８】
上記構成において動作を説明する。押しボタンスイッチ３９を作動することで、ロック手段４０が解除され、上扉体２８の自重による開放方向のモーメントと、第２のスプリング４９により開放側に付勢された下支持部材３４の開放方向のモーメントにより、上扉体２８と下扉体２９は、上支持部材３０と下支持部材３４をそれぞれ上固定枢軸３１と下固定枢軸３５を中心に回転させることで、図１に示す閉成状態から、図２に示すように、上扉体２８が下扉体２９の上方に位置し、上扉体２８、下扉体２９がその双方の内面側を上向きにして、重ね合わせる開成状態まで自動的に開放することができる。
【００３９】
また、第２のスプリング４９の付勢力が、扉体の開放動作の途中に下支持部材３４を閉塞する方向に切り換わるよう構成することにより、扉体が開成する際の衝撃力を緩和することができる。
【００４０】
また、第１のスプリング４６を、上扉体２８の開放に比例して付勢力が増加する位置に設けることで、扉体開放時の上扉体２８の自重による開放方向のモーメントの増加を効果的に軽減し、扉体が開成する際の衝撃力を緩和することができる。
【００４１】
さらに、ストッパー部５１に衝撃緩衝部材５２を設けることにより、扉体開成時の衝撃音、扉体のリバウンドを解消することができる。
【００４２】
上扉体２８にかご案内部４２を設けることにより、食器かご３３の出し入れをスムーズに行うことができる。さらに、かご案内部４２をかご滑走部４３との摺動方向だけでなく、洗浄槽２６の全幅方向に設けることで、食器をセットする際に食器から垂れた汁、水滴が機外へ流出するのを防止することができる。
【００４３】
扉体の開成状態において、上支持部材３０、下支持部材３４に対して連絡部材３６はリンク上死点近傍にあり、下扉体２９に加えた閉塞力だけで上扉体２８を閉塞するのが困難なリンク構成となっているが、第１のスプリング４６により付勢された上支持部材３０によって、上扉体２８の自重による開放方向のモーメントが軽減されるので、小さな操作力で扉体を閉塞することができる。
【００４４】
また、上扉体２８の閉成状態近傍では、第１のスプリング４６によって上扉体２８を閉塞させるモーメントが生じており、上連結枢軸３７の位置は長穴形状である枢軸保持部５０において上扉体２８を常に閉塞方向に位置させることが可能となっている。この構成により、リンク構成の寸法ばらつきによる上扉体２８と下扉体２９の連動不良はなくすことができ、上扉体２８と下扉体２９の開閉操作をスムーズに行うとともに、安定したシール性を確保することができる。
【００４５】
なお、本実施例では、第２のスプリング４９により扉体を自動的に開放する機構を構成しているが、リンク機構を構成する上支持部材３０、下支持部材３４、連絡部材３６のいずれかをモータやソレノイドにより駆動してもよく、また、連結部材３６をワイヤーで構成し、モータで巻き上げるようにしてもよく、同様の作用、効果を得ることができる。
【００４６】
以上のように、本発明の請求項１に記載の発明によれば、食器洗い機本体の前面開口部を上扉体と下扉体とで覆い、上扉体と下扉体をそれぞれ上支持部材と下支持部材とで支持し、上支持部材と下支持部材とを連絡部材で連結してリンクを構成し、上扉体と下扉体を連動して開放するとき、両支持部材を軸支部を中心に回転させ、上扉体、下扉体がその双方の内面側を上向きにして、重ね合わせるよう構成し、上扉体と下扉体が開成したとき、連絡部材を上支持部材と下支持部材の少なくとも一方に対してリンクの上死点近傍に位置させるとともに、第１のスプリングの上扉体閉塞方向への付勢力を連絡部材の下方後方から作用させるよう構成したことにより、食器洗い機本体の前方および上方の設置スペースを小さくでき、かつ大きな食器を収納するのに食器洗い機の高さを大きくすることのなく、設置性のよい食器洗い機を提供することができるとともに、下扉体を開閉することで上扉体も連動して開閉することができ、さらに、第１のスプリングによる付勢力によって上扉体の自重による開放方向のモーメントを軽減することができるので、小さな操作力で扉体を閉塞することができ、扉体閉塞時の操作感を向上することができる。
【産業上の利用可能性】
【００４７】
以上のように、本発明にかかる食器洗い機は、食器洗い機本体の前方および上方の設置スペースを小さくし、かつ大きな食器を収納するのに食器洗い機の高さを大きくすることなく、設置性がよく、また、扉体の開閉を容易かつスムーズに行えるようにして使い勝手を向上させることが可能となるので、キッチンのワークトップ上に設置して使用する食器洗い機等として有用である。
【図面の簡単な説明】
【００４８】
【図１】本発明の一実施例の食器洗い機の扉体閉成状態の断面図
【図２】同食器洗い機の扉体開成状態の断面図
【図３】（ａ）同食器洗い機の扉体開成状態の枢軸保持部の拡大側面図（ｂ）同食器洗い機の扉体閉成状態の枢軸保持部の拡大側面図
【図４】従来の食器洗い機の一例の扉体開成状態の断面図
【図５】従来の食器洗い機の他の例の扉体開成状態の一部切欠した側面図
【図６】従来の食器洗い機の他の例の扉体開成状態の断面図
【符号の説明】
【００４９】
２５  食器洗い機本体
２７  前面開口部
２８  上扉体
２９  下扉体
３０  上支持部材
３１  上固定枢軸（軸支部）
３４  下支持部材
３５  下固定枢軸（軸支部）
３６  連絡部材
４６  第１のスプリング
４９  第２のスプリング
【図１】
2007196005.tif 000003
【図２】
2007196005.tif 000004
【図３】
2007196005.tif 000005
【図４】
2007196005.tif 000006
【図５】
2007196005.tif 000007
【図６】
2007196005.tif 000008